(57)【要約】複数の電磁放射ビームを伴うビデオ投影／デジタイザ／レーダ用のエンジン。本発明は、任意の表面上または任意の体積内へのマルチビーム投影を２Ｄまたは３Ｄで立体角０°〜３６０°内で行なうための光学式デジタル・ビデオ投影装置に関する。本装置は、空間および周波数情報の記録／デジタル化を行なうデジタイザおよび／またはレーダ機能においても用いることができる。電磁放射、たとえば可視、赤外線、紫外線、マイクロ波を、時間、空間、および周波数において、受動的にまたは能動的に処理することを、たとえばミラー／フィルタ窓を用いて行なうことで、目標とする応用例に特有のフィルタ機能を可能にする。光源で用いる光源には、たとえば、多くの弱／中間／高パワー・レーザを、多くの光源、光源モジュール、カラー画素発生器、または光マトリックス・ヘッドに結合したものが含まれる。デジタル化機能では、たとえば、多くのフォトダイオード・キャプチャ・デバイス、電荷結合素子（ＣＣＤ）などを用いる。光ビームを用いた２Ｄまたは３Ｄでのデジタル化／光レーダーに対する機能によって、異なるタイプの応用例において用いること、道路、海上、航空、または宇宙ナビゲーションに対する遠距離通信、生物医学、レーダ検出において用いることが可能になる。
2009527016.tif 000002
【特許請求の範囲】
【請求項１】
２Ｄ／３Ｄマルチビーム走査同期ビデオ投影および／またはデジタル記録装置であって、
角錐形状（８、５６）または円錐形状（２０）の中央のアドレシング潜望鏡からなる放射状の光マトリックス・ヘッド構造（６）および（４２）であって、前記潜望鏡には、ミラーおよびフィルタ（９）、（１４）、（２８）、（２９）、および（３１）が備え付けられ、前記の構造には、中央のアドレシング潜望鏡の周囲に分配されたレーザ源が備え付けられ、前記光源は、
ａ）光源モジュール（３５、３６）として、または
ｂ）ミラーからなる角錐とその周囲のレーザ源とを伴う放射状の光マトリックス・ヘッド（４２）として、
ｃ）ミラーおよびフィルタを敷き詰めたもの（４３）として、
傾けられる、光マトリックス・ヘッド構造（６）および（４２）と、
前記光マトリックス・ヘッドから出され、マトリックスとして構成される特定の数の光ビームであって、デジタル的にロックされたある特定の数のミラーおよびフィルタ（１０）、（４０）、（４１）、および（４４）を有する特定の数の光回転ディスクを照射する、特定の数の光ビームと、を備え、
前記角錐形状または円錐形状の中央のアドレシング潜望鏡は、レーザ源から出されて前述の中央のアドレシング潜望鏡によって再び方向付けられる異なるビーム（１３）、（１８）、（３７）、および（３８）が、装置を通して３次元に配向されることが可能になるようにミラーおよびフィルタの特定の装置を備え、
装置は、一連の反射／透過から走査によって画像列を任意の表面上または任意の体積内へ投影することを可能にし、２Ｄまたは３Ｄの記録／デジタル化を立体角０°〜３６０°内で可能にすることを特徴とする装置。
【請求項２】
デジタイザとして周囲に設けられた特定の数の入射電磁ビーム・センサを備えることを特徴とする請求項１に記載の装置（図１）。
【請求項３】
任意の表面上または任意の体積内への装置の放出ビーム反射から得られる、レーダとして周囲に設けられた特定の数の入射電磁ビームのセンサを備えることを特徴とする請求項１に記載の装置（図１）。
【請求項４】
ある特定の数のフィルタ窓が特定のレイアウトで分配されている回転固体形状の構造が、固定されているかまたは回転可能となっていて、任意の立体角の空間アドレッシングが可能となっていることを特徴とする請求項１〜３のいずれか１項に記載の装置（図１）、（図２）、および（図３）。
【請求項５】
ミラーおよび／またはフィルタ窓であって、構造の特定の形状機能を有する特定の領域上でミラーおよび／またはフィルタ窓と交差する特定の数のビームの物理特性を変更する特定の受動的または能動的な伝達機能を有するミラーおよび／またはフィルタ窓を備え、線状または点状の走査機能からの立体角内部の空間アドレッシング・ゾーンに応じて、特定の物理特性を有するある特定の数の重ね合わせ層からなるミラーおよびフィルタは、空間、周波数、時間フィルタリングおよびたとえば半導体またはフォトダイオードのような能動素子を介して情報の記録を可能にし、これらのミラー／フィルタ窓は、偏光フィルタ、屈折率勾配フィルタ、周波数フィルタ、またはこれらのものからなる任意の組み合わせとすることができることを特徴とする請求項１〜４のいずれか１項に記載の装置（図３）および（図４）。
【請求項６】
角錐形状のアドレシング潜望鏡を備え、特定の数の構造、角錐形状、円錐形状、階段形状が、トリム補正された装置上に位置するかまたはしておらず、光源間でのまたは光回転ディスクのセンサおよびミラーおよびフィルタ間でのビームの偏向または配向を可能にし、この潜望鏡によって、ある特定の数の光源またはセンサを、光回転ディスクの上方または下方に位置するある特定の数のレベルまたはリング上に形成することが可能であることを特徴とする請求項１〜５のいずれか１項に記載の装置（図５）および（図６）。
【請求項７】
周囲に配置された光源に付随する角錐形状のアドレシング潜望鏡を備え、多くの光回転ディスク上の多くのセクタ上に共有される特定の数のミラー／フィルタに同時にアドレスすることが可能になり、光回転ディスクのこれらの異なるセクタは、同じレベルにあるかまたはステップ上に配置されることを特徴とする請求項１〜６のいずれか１項に記載の装置（図７）、（図８）、（図９）、および（図１０）。
【請求項８】
特定の数の光源から出されるビームの偏向装置を備える角錐形状のアドレシング潜望鏡を備え、表面上に固定されるかまたは装置内に形成される多くのミラー／フィルタからなり、ミラー／フィルタは、角錐形状、円錐形状、ステップ形状であり、その形成は、特定の数のレベルを伴うある特定の数の光回転ディスク上に設けられた特定の数のセクタの同時アドレシングを可能にする配置に従って行なわれ、この配置は、カラー画素発生器の静的もしくは動的なポインティング補正を有する光源モジュールか、または光マトリックス・ヘッドおよび静的もしくは動的なトリム補正された装置から構成されることを特徴とする請求項１〜７のいずれか１項に記載の装置（図１１）、（図１６）、（図１７）、および（図１８）。
【請求項９】
特定の数の光学レーンを有するオン・ボード潜望鏡がある光回転ディスクの変形を備え、光回転ディスクの中央の軸上に固定されるかまたは回転可能に配置される偏向装置、角錐または円錐、にアドレスすることが可能になり、ある特定の数の光源が光回転ディスクの周囲に分配され、光学レーンは、特定の配向を有するある特定の数のミラーおよびフィルタであって、この配向によって、表面上に配置されるかまたは光回転ディスク装置内に形成されるある特定の数の他のミラーおよび／またはフィルタへのアドレスが可能になる、ミラーおよびフィルタを有していても良いことを特徴とする請求項１〜８のいずれか１項に記載の装置（図１２）。
【請求項１０】
特定の数の光源モジュール、または特定の数のカラー画素発生器、または特定の数の光マトリックス・ヘッド、冠部／角錐形状、またはミラーおよびフィルタを敷き詰めたもの、または多くの偏向用角錐を伴う光マトリックス・ヘッドを備えることを特徴とする請求項１〜９のいずれか１項に記載の装置（図１３）、（図１４）、および（図１５）。
【請求項１１】
マルチビーム走査ビデオ投影および／またはデジタル記録装置の内部で用いられるエアー・クッション上の回転および上昇ステージを特徴とし、光回転ディスクまたはフィルタ窓のスタンド構造の回転を特徴とし、ステージの周囲に特定の方法で分配されたある特定の数の開口部を通る空気流によって行なわれて、上昇が行なわれ、別の空気流が、回転を課すことを、回転を設定するために装置の周囲に分配された特定の配向を有するフィンによって行なうことを特徴とする請求項１〜１０のいずれか１項に記載の装置（図１９）。
【請求項１２】
電磁界によって行なわれる回転および上昇ステージの別の実施形態を特徴とする請求項１〜１１のいずれか１項に記載の装置（図１９）。
【発明の詳細な説明】
【技術分野】
【０００１】
本発明は、たとえば、可視、赤外線、紫外線、またはマイクロ波オプティクスを、任意の２Ｄまたは３Ｄの表面上または任意の体積内へ、０〜３６０°の立体角内、たとえば１８０°、２７０°、または３６０°で、光源として多くの弱／中間／高パワー・レーザを用いて行なう電磁マルチビーム・デジタル・ビデオ投影装置に関する。光源と結合されたセンサの組を挿入することで、本装置を、２Ｄまたは３Ｄのデジタイザおよび／またはレーダとして、０〜３６０°の立体角内、たとえば１８０°、２７０°、または３６０°において、用いることができる。本発明を用いる分野は、表面上または体積内へのデジタル・ビデオ投影、道路、海上、航空、または宇宙ナビゲーション用の遠距離通信とすることができる。
【背景技術】
【０００２】
３６０°スクリーン上での表示は、多くの場合にマルチ・スクリーン組み立ての変形によって行なわれる。スクリーンのリボンを円形の部屋に巻き付くように設けて、景観、イベントの３６０°視野を、顧客に示す。別のディスプレイ応用例として、プラネタリウムで用いることができる例では、多くの典型的なビデオ・プロジェクタ（たとえば、ＤＬＰ、ＬＣＤ、ＧＬＶ、またはＣＲＴタイプ）を実施して、ショーをドーム上に放送する。
【０００３】
３Ｄドーム内での表示は、アイマックス・ソリッド（ＩＭＡＸＳｏｌｉｄｏ）（登録商標）を原理とするプロセスとして行なうことができる。このプロセスでは、像を半球のスクリーン上に投影することが、たとえば「魚眼の」レンズを用いて行なわれる。深さ方向の知覚が、液晶ガラスによって復元される。表示は２つの画像を交互に映し出す。それぞれの目に対して１つづつである。各ガラスが交互に不透明になることが、プロジェクタから出される命令に応じて行なわれる結果、それぞれの目は、意図された像のみを受け取ることができる。
【０００４】
また走査ベースのプロジェクタ・システムの着想を実現するために、複数のアプローチが開発されている。たとえば、その１つは、プロジェクタ・システムを偏向ミラーに結合させたものに基づいている。偏向ミラーが２つの軸上を移動する結果、スクリーン走査として、たとえば半球状のものが可能になる。そしてビデオ・フレームをデジタル処理によって切断して、人間の目にとって十分な速度でスクリーン上で走査されたある特定の数の画像部分の組み合わせにして、それに単一画像の印象を与える。このプロセスは、多くの場合に、レーザ・ビーム、たとえば赤、緑、および青に基づいて投影システムを形成するために用いられるが、このプロセスによって、画像情報による変調と迅速なビーム偏向とを用いて動画のカラー画像列を形成することが可能になる。
【０００５】
別のアプローチは、ある特定の数の種々のサイズのビーム（非常に大きい、中間、および細い）を用いることである。デジタル画像処理は、特に色彩の点で、これらのビームをそれぞれ変調することができる。ビームは、アクチュエータによって偏向されてスクリーンを走査し、光スポットのオーバーラップによる像を形成する。
【０００６】
これらの機器はほとんどが、良く知られているビデオ投影の場合に、映画撮影またはドキュメンタリまたは映画の表示の間に行なわれる低分解能および／または高コストの技術の影響を受ける。スクリーンをカバーするような複数のプロジェクタを含む据え付けを行なうことには、複数の異なる機器を用いるために、像がオーバーラップする領域において、また投影表面または体積上での色の均一性に関して問題がある。レーザ・ベースのプロジェクタは、ほとんどの場合に、像の空間安定性が無くおよび／または分解能が低いことが、フィルム・ベースのプロジェクタの場合と同じ品質で像を表示することになったときに起こる。
【発明の開示】
【課題を解決するための手段】
【０００７】
特許の下で、本装置によって、カラー像の列の再生および／または記録を任意の表面上または任意の体積内へ行なうことが、ある特定の数の光源のおかげで可能である。目標は、装置の出力における当初の信号の固有の仕様（全域、混合、色彩温度、分解能／鮮明度、コントラスト・レベル）を、任意の表面または任意の体積上で保持することである。
【０００８】
ビデオ投影／デジタル化／レーダ検出として、ほとんど完全に光学装置（電磁ビーム、たとえば可視、赤外線、紫外線、マイクロ波を扱い、またミラー／フィルタを組み込む）によって行なわれるものが、こうして最適化される。なぜならば、装置は、光回転ディスク上での一連の反射／透過のみを伴っているため、最後には、機械的な摩耗としては非常に限られたものしか生じないからである。動作原理には、表面または体積（スクリーンとして用いられる）のマルチビーム走査を、ある特定の数のビームの連続的な反射／透過を通して行なうことが含まれる。ビームは、たとえばある特定の数の光源（たとえば弱／中間／高パワー・レーザ）を、ある特定の数の光源、光源モジュール、カラー画素発生器、または光マトリックス・ヘッドと結合したものから出てくる。走査機能は、たとえば、ある特定の数のフォトダイオード・キャプチャ・デバイス、電荷結合素子（ＣＣＤ）などを用いる。光回転ディスクは、装置内において、空間内の走査を実現する。アドレシング潜望鏡によって、ある特定の数のビームを任意の表面上または任意の体積内に構成することができる。
【０００９】
特定の構成モードによれば、ミラー／フィルタ窓のスタンド構造を、装置に加えて、たとえば、光源ビームに相補的な空間／周波数／時間の多重化を行なうことができる。
【発明を実施するための最良の形態】
【００１０】
図面を参照して、光マルチビーム走査デジタル・ビデオ投影装置（図１）は、任意の表面上もしくは任意の体積内への投影、および／または２Ｄもしくは３Ｄの記録／デジタル化を０〜３６０°の立体角内で、たとえば１８０°、２７０°、または３６０°において行なうことを可能にするものであり、ある特定の数の光源（１）が、ある特定の数のレベルまたは冠部たとえば（２）、（３）、（４）、（５）、および（６）上に、特定の方法で広がっているものから構成される。使用する光源（たとえば弱／中間／高パワー・レーザ）は、たとえば光源モジュール内に、カラー画素発生器内に、ある特定の数の光マトリックス・ヘッド（たとえば冠部／角錐タイプまたはミラー／フィルタを敷き詰めたもの）内に組み込むことができる。コリメート済または低発散の光ビーム（光源から出された（７））が、アドレシング潜望鏡（８）に向けて角度を付けられている。ある特定の数のミラー／フィルタを、特定の方法で、たとえばアドレシング角錐（８）および／または円錐上に配置したものを通して、アドレシング潜望鏡からビームが、光源（たとえば（１））から、デジタル的にロックされたある特定の数の光回転ディスク（たとえば（１０）および（１１））上に広がるある特定の数のミラー／フィルタ（たとえば（９））に向けて送られる。光回転ディスクのミラー／フィルタ（たとえば（９））の配向は、入射ビームの反射（たとえば（１３））が、切頭球体形状の構造（１５）上に配置された特定のミラー／フィルタ窓（たとえば（１４））を通過することを可能にする特定の角度に基づくものである。このミラー／フィルタ窓は、特定の角度に応じてビームを偏向するかまたはしない。完全に回転する間、光回転ディスク（たとえば（１０）および（１１））によって、入射ビーム（１２）が、空間走査の動きを課す連続するミラー／フィルタの組み合わせに導入される。可能な構成に応じて、切頭球体（１５）および／またはアドレシング潜望鏡（８）は、回転しているかまたはしていない。
【００１１】
光回転ディスク（たとえば（１０）および（１１））および／または切頭球体（１５）の動作速度のデジタル・ロックが、光源の同期点火を備えることにより、空間走査が可能になり、その結果、ある特定の数の画素からなる画像列が、任意の表面上または任意の体積内へ投影される。カラー画素発生器および／または光マトリックス・ヘッド（たとえば冠部／角錐タイプおよび／またはミラー／フィルタを敷き詰めたもの）を伴うこのマルチビーム走査デジタル・ビデオ投影装置に電力供給することによって、たとえば、ビデオ・フレームの列を任意の表面上または任意の体積内に表示すること、および／または２Ｄまたは３Ｄの記録／デジタル化を立体角０〜３６０°内で、たとえば、１８０°、２７０°、または３６０°において行なうことが、可能になる。
【００１２】
キャプチャ機能（たとえば（１６））を、各光源（たとえば（１））と結合することによって、任意の表面および／または任意の体積（たとえば（１７））による反射信号を、光マルチビーム走査デジタル・ビデオ投影装置によって走査される領域に記録することが可能になる。これを次に、デジタイザおよび／またはレーダ・モードにおいて用いる。ここでは、空間の特定の方向に、変調信号（たとえば特定の波長を伴う信号の振幅変調）を送受信することによって、この表面（たとえば（１７））からの距離を決定することが、たとえば往復の飛行（たとえば（１８）および（１９））の後に生じる受信信号の時間遅れまたは同期損失をセンサによって測定することで、可能になる。この同期損失は、波の「飛行時間」と言われることが多く、それに波の伝搬速度を乗じれば、距離を推定することができる。
【００１３】
この文献の全体を通して、デジタイザおよび／またはレーダ・タイプの機能を任意の表面上または任意の体積内へ２Ｄまたは３Ｄで実現することを可能にする記録システムを、光源モジュールの代わりに用いることもできるし、光源モジュールにこのような記録システムを備えることもできる。使用する電磁ビームは、可視、赤外線、紫外線、マイクロ波ドメインから得ることもできるし、行なうべき環境および／または測定値に適合する他の任意の周波数ドメインから得ることもできる。
【００１４】
可能な構成（図２）に応じて、マルチビーム走査ビデオ投影および／またはデジタル記録装置は、ある特定の数の光回転ディスク（たとえば（１０））およびアドレシング潜望鏡（たとえば、角錐形状（８）または上に向けられた円錐（２０））から構成される。構造として、固定されているかまたは回転している、ある特定の数の特定のミラー／フィルタ窓（１４）のスタンドを備えることができる。走査領域に応じて、この構造はたとえば、任意の輪の形状、ある特定の数の円弧の形状、半球体の形状（２１）、切頭球体の形状（２２）、全球体の形状（２４）（たとえば２つの光回転ディスク（１０）を含み、アドレシング潜望鏡（たとえば（２０））を伴う）、円柱の形状（２３）（半球体を載せているかまたはそうでない（２５））であっても良い。
【００１５】
このミラー／フィルタ窓のスタンド構造（図３）（たとえば切頭球体形状（１５））は、ある特定の数のミラー／フィルタ窓のスタンド冠部（たとえば（２６））上に、ある特定の数のミラー／フィルタ窓（たとえば（１４））が、小さい空洞（たとえば（２７））内に配置されたものから構成される。これらのミラー／フィルタ窓（１４）は、ある特定の領域上でミラー／フィルタ窓と交差するある特定の数のビームの物理特性の変更を可能にするある特定の数の受動的または能動的な仕様（たとえば空間フィルタリング）を有している。ミラー／フィルタ窓（１４）は、メタライゼーション・プロセスによって処理された層スタック（たとえば（２８）および（２９））から構成され、目標とする応用例に応じて多かれ少なかれ離れている（たとえば（３０））。ミラー／フィルタ窓には、処理として、たとえば波長勾配処理が施されていても良い。このような処理によって、たとえば、ミラー／フィルタ窓と交差する（光回転ディスクによってビームに課される走査機能である）ビームの波長選択が可能になる。
【００１６】
特定のミラー／フィルタ窓形状は、ミラー／フィルタを支持する構成に関係づけられる。それらは矩形でも、台形でも、円形であっても良く、こうして、走査空間または体積（たとえば円錐または角錐形状）が特定される。マルチビーム走査ビデオ投影および／またはデジタル記録装置を構成する光回転ディスクに応じて、ミラー／フィルタ窓（たとえば（１４））は、光源（たとえば矩形状または矩形タイプ（３１））によって生成されるビームによって走査される（図４）。ミラー／フィルタ窓の走査は、たとえば全面的に（３２）、線（３３）または点（３４）に従って、光源のサイズおよび／または特定の同期時間に応じて行なわれる。したがって、ミラー／フィルタ窓の仕様（たとえば（１４））および光回転ディスク間の特定の同期に応じて、同じアドレシング・ゾーンに対して異なるフィルタリング特性を選択することができる。ミラー／フィルタ窓のスタンド構造（たとえば、切頭球体形状（１５））によって、多重化および／または空間／周波数／時間フィルタリングの機能を形成することができる。構造上のすべてのミラー／フィルタ窓を、必要に応じて、能動部品（たとえば半導体タイプまたはフォトダイオード）にして、記録機能を組み込むことができる。
【００１７】
マルチビーム走査ビデオ投影および／またはデジタル記録装置内のアドレシング潜望鏡（たとえば（図５））は、たとえば、ミラー／フィルタのアドレシング円錐（２０）スタンドから形成される。ミラー／フィルタのアドレシング円錐（２０）スタンドは、多くのレベル／冠部上に分配された多くの光源またはセンサ（たとえば（３５）および（３６））を運ぶことができる。このようなアドレシング潜望鏡を用いて、光回転ディスク（たとえば（１０））上方のビーム走査領域（たとえば（３７）および（３８））を広くしても良い。
【００１８】
前記したアドレシング潜望鏡は、別のアドレシング円錐（３９）として、第１のアドレシグ円錐に向かい、中央の孔を伴う光回転ディスクの下方にあるものを備えても良い（図６）。このアドレシング潜望鏡の構成によって、たとえば、光回転ディスク（たとえば（３７）および（３８））によって課される走査ゾーンを最適化することができる。
【００１９】
マルチビーム走査ビデオ投影および／またはデジタル記録装置によって同時に走査されるビーム数の密度を高めるために（図７）、マルチ・セクタの光回転ディスクを用いることができる（たとえば（４４））。マルチ・セクタの光回転ディスクは、特定のレイアウトのミラー／フィルタから構成され（たとえば表面上（４０）または「ステップ形状」で（４１））、任意の表面または任意の体積を２Ｄまたは３Ｄで走査することを可能にする特定の配向を有するものである。可能な構成に応じて、光回転ディスクの各セクタにアドレスすることを、たとえば、ある特定の数のミラー／フィルタを組み込むアドレシング潜望鏡円錐（２０）を用いて、ある特定の数の光源モジュール（たとえば（３５）および（３６））、および／または光マトリックス・ヘッド（たとえば冠部／角錐タイプ（４２）および／またはミラー／フィルタを敷き詰めたもの（４３））（ある特定の数のレベル／冠部上に分配される）によって、行なっても良い。各レベルは、マルチ・セクタの光回転ディスクの特定のセクタにアドレスする。
【００２０】
また特定のレイアウトに従って、ある特定の数の光源を各レベル／冠部上に分配して、同じ光回転ディスク（たとえば（１０））の複数のセクタに同時にアドレスすることが、アドレシング潜望鏡（たとえば円錐（２０）または角錐形状（８））を通して可能である（図８）。たとえば（図９）、ある特定の数のこれらのレベル／冠部を用いることで、マルチ・セクタの光回転ディスクが、ある特定の数のセクタ上に分配されたある特定の数のセクションに同時にアドレスする（たとえば（４４））ことが可能である。
【００２１】
マルチ・セクタの光回転ディスク（４４）に関して説明すれば、複数の構成の光源およびアドレシング潜望鏡レイアウトを、実現しても良い（（図１０）、（図１４）、および（図１７））。たとえば、一直線に（４５）、二等辺三角形（４６）または直角三角形（４７）もしくは（４８）に基づいてである。光源のレイアウトによって、ある特定の数の共線ビームの組を、サイズが低減された状態で実現することが、ビーム仕様または固有の特性を変更することなく可能である。可能な実現上の変形に応じて、光源レイアウト（４５）は（図１４）、ステップ形状とすることもできるし（４９）、場所をずらした行とすることもできるし（５０）、Ｖ形状（５１）および（５２）とすることもできるし、または他の任意の幾何学的なレイアウトとして、一様に離間して配置されたある特定の数の共線ビームの組を実現するものとすることもできる。可能な実現上の変形として、ミラー／フィルタアドレシング潜望鏡（図１７）は、たとえば、ある特定の数の小さいミラー／フィルタ（５３）をマウント（５４）上に設けて、マウント（５５）（たとえば、階段形状）で押さえつけることによって実現することができる。このマウントは、動的な補正要素（たとえば、ネジ、圧電性のマイクロ・アクチュエータなど）上に組み立てることができる。
【００２２】
可能な構成に応じて、アドレシング潜望鏡の偏向装置（図１１）は、ある特定の数のミラー／フィルタ・スタンドを、ある特定の数のレベルおよびベース（５６）、円錐用の円形（２０）、または角錐用の四角形（８）上に分配したものを組み込んでいる。
【００２３】
異なる光回転ディスクの変形（図１２）が可能である（５７）および（５８）。これらは、ある特定の数の光学レーン（たとえば（５９））を含んでいる。光学レーンは、光回転ディスク軸上に配置されたオン・ボードの円錐形状の潜望鏡（３９）（回転しているかまたはしていない）のアドレシングを可能にするものである。オン・ボードの潜望鏡によって、光回転ディスクの表面上に設けられたセクタ（たとえば（６０））上に分配されたミラー／フィルタのアドレシングが、たとえば、別の円錐形状のアドレシング潜望鏡（２０）を通して、可能になる。別の光回転ディスクの変形は、各レーン（たとえば（５９））の先端部において、ある特定の数のミラー／フィルタ（たとえば（６１））の位置決めをして、レーン上でビームが広がることを可能にし、光回転ディスクの表面付近のミラー／フィルタ（たとえば（６２））上に反射するようにすることにある。同様に、ある特定の数のミラー／フィルタ（たとえば（６１）および（６３））の位置決めをして、光学レーンから入ってくるビームを反対方向に、わずかに上方に反射して、光回転ディスクのかたまりの中に挿入されたミラー／フィルタ（６２）へ送るようにすることができる。付加的なフィルタリング機能を得ることが、光学レーン先端部における連続したミラー／フィルタ（たとえば（６１）、（６４）、および（６５））を用いて可能であり、たとえば波長フィルタリングである。
【００２４】
マルチビーム走査ビデオ投影および／またはデジタル記録装置の分解能を増加させるために、光マトリックス・ヘッド（図１３）（たとえば、冠部／角錐形状（６６）および／またはミラー／フィルタを敷き詰めたもの（６７））を用いても良い。これら２つの光マトリックス・ヘッドによって、ある特定の数の共線ビームのマトリックスを生成することが、特定のレイアウトを伴う多くのミラー／フィルタ上での連続した透過／反射を通して可能になる。
【００２５】
角錐（冠部／角錐形状の光マトリックス・ヘッド（６６）の一部）および／またはアドレシング潜望鏡の偏向装置は、ある特定の数の偏向用角錐（８）および／または偏向用円錐（２０）を配置したもの（たとえば（６７））にして、マトリックス・ヘッドから発せられておよび／または光回転ディスクにアドレスするビームの数の高密度化プロセスが可能になるようにしても良い。代替案として、偏向用角錐（８）および／または偏向用円錐（２０）を、非常に微細なステムまたは全面的な硬いステム（光源からの光線を遮断しない）を備えるシャフト（たとえば（６７）、（６８）、（６９））によって固定する。
【００２６】
複数の種類の偏向用角錐および／または円錐のレイアウトが、シャフト上で可能である（図１５）。たとえば「クリスマス・ツリー」形状、角錐および／または円錐を所定の位置に保持することが、ベース（６９）に結合された非常に微細なステムで満載されているかまたは構成される支持体（６７）によって行なわれる。
【００２７】
これらのレイアウトの場合、考慮しなければならないのは、サイズ上の制約と角錐形状および／または円錐形状の偏向要素上を進むビームの数とである。偏向要素は、同じ平面上に位置する（たとえば一直線に（７０）、または空間内で分配されて（（７１）もしくは（７２）））。実際には、角錐および／または円錐のサイズと、同じレベル（たとえば（７３）および（７４））に位置する２つの角錐および／または円錐に向かうミラー／フィルタ上への入射ビームの数とに応じて、２つの要素間の空間は、それほど開いていない角度で、ビーム通過（７５）、（７６）（角錐または円錐（７３）に対して）、（７７）および（７８）（角錐（７４）に対して）を与えるものでなければならない。この問題を回避するために、角錐および／または円錐を、異なるレベル上に配置することができおよび／または一様に分配することができる。目的は、共線ビームのマトリックスとして、出力において一様に離間に配置されおよび／または光回転ディスク・セクタにおいて方向付けられたものを得ることである。こうして、３Ｄアーキテクチャ（７１）を得ること（図１５）ができる。ここで各大文字は、角錐形状の要素を表している。このような構成では、ある特定の数の角錐および／または円錐（たとえば方向付けられたＣおよびＢ）は、同じレベルに存在することができるが、互いに向けて面を示すことはない。またスパイラル分布の解決方法（７２）によっても、アドレスの問題が起こる傾向が予防される。
【００２８】
アドレシング潜望鏡（たとえば（８））に供給する光源（３５）を（図１６）、たとえば、ある特定の数のレベル／冠部（７９）上に配置して、ビームをミラー／フィルタ（８０）（ベース（５６）上のリングの中央に位置し、角錐形状、円錐形状、または他とすることができ、ビームを共線的に構成するものである）の方へ向けることができ、かつ／またはマルチビーム走査ビデオ投影および／またはデジタル記録装置のある特定の数の光回転ディスクのある特定の数のセクタ上に分配されるある特定の数のミラー／フィルタのアドレシング・マトリックスを得ることができる。
【００２９】
装置の安定性の理由から、または静的および／もしくは動的な補正を得るために、アドレシング潜望鏡の角錐および／または円錐の下方に、トリム補正されたベースを加えることが有用であり得る（図１８）。このトリム補正されたベース装置（たとえば角錐形（８））は、３つの要素（８１）、（８２）、（８３）（たとえば、ネジ、圧電性のマイクロ・アクチュエータなど）から構成される。これらの要素は、たとえば、下部のプラットフォーム（８４）（要素を支持する）と上部のプラットフォーム（８５）（角錐（８）を支持する）との間の二等辺三角形に従って設定される。これらの３つの要素（８１）、（８２）、（８３）（たとえば、ネジ、圧電性のマイクロ・アクチュエータ）を迅速に電子制御することで、非常に低いトリム補正が課される。
【００３０】
ある特定の数のミラー／フィルタ窓のマウント構造および／または光回転ディスクを回転させることは、回転ステージを、中空のリング（８７）内で生成されるエアー・クッション上で上昇させることで行なうことができる。ステージ上昇は、回転すべき構造と互いに依存しており、ある特定の数の開口部（たとえば（８８））を、中空のリング（８７）内に分配したものを通して行なわれる。分配は、漏れを補正する流入空気流（たとえば（８９））（「エアー・クッション」として広く知られる）を伴う加圧空気ゾーンを形成する特定の配置に基づいて行なわれる。そして回転運動が、たとえば別の空気流（９０）として、フィン（９１）（プレート（８６）のエッジ上で広がり、特定の配向を有する）を押す空気流によって課される。
【００３１】
この回転および上昇ステージの別の実施形態は、電磁界によって回転および上昇が実現されるという事実にある。
本発明の対象は、最初に、任意の表面上もしくは任意の体積内へのビデオ投影および／または２Ｄもしくは３Ｄの記録／デジタル化の分野における応用例である。記録装置を挿入すること、および特定の波長（たとえば、可視、赤外線、紫外線、マイクロ波オプティクス）を伴う電磁ビームを用いることによって、応用例の分野を、デジタイザ、レーダ、遠距離通信、道路／航空／海上／宇宙輸送へと広げることができる。
【図面の簡単な説明】
【００３２】
【図１】任意の表面上もしくは任意の体積内への投影および／または２Ｄもしくは３Ｄの記録／デジタル化を、０〜３６０°の立体角内で、たとえば１８０°、２７０°、または３６０°において可能にするマルチビーム走査デジタル・ビデオ投影装置構造の単純化されたパターンを例示する斜視図である。
【図２】光マルチビーム走査デジタル・ビデオ投影装置構造の異なるアーキテクチャの概略図を例示する断面図である。
【図３】ミラー／フィルタ窓のスタンド（たとえばドーム形状）を例示する斜視図であるとともに、ミラー／フィルタ窓の位置決めを詳述する部分図である。
【図４】マルチビーム走査デジタル・ビデオ投影装置の一部であるミラー／フィルタの異なる走査可能性を例示する斜視図である。
【図５】マルチビーム走査ビデオ投影および／またはデジタル記録装置用の、ずれ円錐から構成されるアドレシング潜望鏡を例示する斜視図である。
【図６】マルチビーム走査ビデオ投影および／またはデジタル記録装置用の、たとえば対面する２つのずれ円錐から構成されるアドレシング潜望鏡を例示する斜視図である。
【図７】たとえば、ある特定の数の光源モジュールおよび／または光マトリックス・ヘッド、たとえば冠部／角錐タイプまたはミラー／フィルタを敷き詰めたもの伴うマルチ・セクタ・ディスクにアドレスする、マルチビーム走査ビデオ投影および／またはデジタル記録装置用のアドレシング潜望鏡を例示する斜視図である。
【図８】ある特定の数の光源モジュールおよび／または光マトリックス・ヘッド、たとえば冠部／角錐タイプまたはミラー／フィルタを敷き詰めたものを伴うマルチ・セクタ・ディスクにアドレスする、マルチビーム走査ビデオ投影および／またはデジタル記録装置用の、円錐または角錐からなるアドレシング潜望鏡を例示する上面図である。
【図９】ある特定の数のセクタ上で広がるある特定の数のミラー／フィルタへの同時アドレスを可能にするある特定の数のレベル上で広がる多くの光源モジュールおよび／または光マトリックス・ヘッド（たとえば冠部／角錐タイプまたはミラー／フィルタを敷き詰めたもの）を伴うマルチ・セクタ・ディスクにアドレスするマルチビーム走査ビデオ投影および／またはデジタル記録装置用のアドレシング潜望鏡を例示する斜視図である。
【図１０】光マルチ・セクタ回転ディスクおよびある特定の数のアドレシング潜望鏡の単純化した図を例示する断面図である。
【図１１】マルチビーム走査ビデオ投影および／またはデジタル記録装置用の角錐とアドレシング潜望鏡偏向用円錐とを例示する上部図および側面図である。
【図１２】オン・ボードのアドレシング潜望鏡とスライス・アドレッシングを可能にする光学レーンとを伴う２つの光回転ディスクの代替案を例示する斜視図である。
【図１３】冠部／角錐タイプの光マトリックス・ヘッドまたはミラー／フィルタを敷き詰めたものの代替案を例示する断面図である。
【図１４】光回転ディスクの複数のセクタおよび／またはミラー／フィルタへの同時かまたはそうでないアドレシングを、アドレシング潜望鏡によってかまたはそうでなく可能にする光源モジュールおよび／またはカラー画素発生器の代替案を例示する斜視図である。
【図１５】アドレシング潜望鏡および／または光マトリックス・ヘッドに対する角錐および／または円錐の複数の可能なレイアウトの単純化した図を例示する断面図である。
【図１６】反射ファセット、リング、および光源モジュールを伴う角錐状の装置からなる光ビーム・デジタル・ビデオ投影モータの光マトリックス・ヘッドの第１のレベルを例示する上面図である。
【図１７】マルチビーム走査ビデオ投影および／またはデジタル記録装置用のアドレシング潜望鏡の代替的なミラー／フィルタ構成を例示する断面図である。
【図１８】マルチビーム走査ビデオ投影および／またはデジタル記録機器の種々の要素に対して適合可能な、たとえばネジ、マイクロ・アクチュエータ、圧電性物質などからなる安定位置調整装置を例示する斜視図である。
【図１９】マルチビーム走査ビデオ投影および／またはデジタル記録装置用のエアー・クッション上の回転および上昇ステージを例示する斜視図および断面図である。
【図１】
2009527016.tif 000003
【図２】
2009527016.tif 000004
【図３】
2009527016.tif 000005
【図４】
2009527016.tif 000006
【図５】
2009527016.tif 000007
【図６】
2009527016.tif 000008
【図７】
2009527016.tif 000009
【図８】
2009527016.tif 000010
【図９】
2009527016.tif 000011
【図１０】
2009527016.tif 000012
【図１１】
2009527016.tif 000013
【図１２】
2009527016.tif 000014
【図１３】
2009527016.tif 000015
【図１４】
2009527016.tif 000016
【図１５】
2009527016.tif 000017
【図１６】
2009527016.tif 000018
【図１７】
2009527016.tif 000019
【図１８】
2009527016.tif 000020
【図１９】
2009527016.tif 000021
【国際調査報告】
2009527016.tif 000022
2009527016.tif 000023
2009527016.tif 000024
2009527016.tif 000025
2009527016.tif 000026
2009527016.tif 000027